(57)【要約】      （修正有）【課題】閉口された箱容器の粘着テープを、剥がすのに手間が掛かるので、カッターで開口部を切って開口したり、粘着テープに剥離部を形成する等の方法があるが、箱容器を傷付けないで、綺麗に且つ、スピーディーに出来る方法及び、箱容器を提供する。【解決手段】従来、使用されずに処分されていた継しろＪＦ部分を利用して、粘着テープＴの剥がし口として、上下の片側の外側フラップＴＦＯ１に、プルフラップＰＦ１、ＰＦ２を上下に設ける。更には、上下に一対づつある外側フラップの接合部の其々両端に、プルフラップを設ける事で、上下左右どこからでも剥がせる構成とする。【選択図】図２
2019182541.tif 000002
【特許請求の範囲】
【請求項１】
従来は、余剰部分であり処分するしかなかった、継しろの両端部を利用して、上部外側フラップＴＦＯ１の伸延部に、（上部）プルフラップＰＦ１を延設させるとともに、下部外側フラップＵＦＯ１の伸延部に、（下部）プルフラップＰＦ２を延設する事で、箱容器の上下面を閉口した粘着テープを、綺麗に且簡単に剥がせる様、構成してなることを特徴とする箱容器。
【請求項２】
箱容器の上下、左右どちらからでも粘着テープを、綺麗に且簡単に剥がせるように、上部外側フラップＴＦＯ１の両端部に、（上部）プルフラップＰＦ１、ＰＦ３を、上部外側フラップＴＦＯ２の両端部に、（上部）プルフラップＰＦ５、ＰＦ７を、更に、下部外側フラップＵＦＯ１の両端部に、（下部）プルフラップＰＦ２、ＰＦ４を、下部外側フラップＵＦＯ２の両端部に、（下部）プルフラップＰＦ６、ＰＦ８を延設することで、可能にした事を特徴とする箱容器。
【請求項３】
請求項２の箱容器であって、組立前の折り畳まれた角筒状の状態で、複数枚重ねて結束したものを、複数束積層して供給する時、四隅に位置するプルフラップ、ＰＦ３、ＰＦ４、ＰＦ７、ＰＦ８が矩形の外部に突出して、破損しない様、当該フラップ其々に、ミシン目状カットＭを設けている事を、特徴とする請求項２に記載の箱容器。
【請求項４】
粘着テープで、プルフラップを共剥がれ防止部Ｒで曲げて閉口した状態では、プルフラップに反発応力が働き、自然剥がれを防止するため、プルフラップ其々に折り目Ｌを入れ、予め、曲がり部分Ｃを構成することで、プルフラップの反発応力を弱めると共に、指の引っ掛り部分出来、粘着テープが剥がし易くなる様、構成してなる事を特徴とする請求項１、請求項２に記載の箱容器。
【請求項５】
外側フラップとプルフラップが、切れ目のない表紙（ライナー）で繋がり、共剥がれ防止部Ｒで折れ曲がることで、粘着テープ剥がしによる表紙（ライナー）の共剥がれを防止する為の、共剥がれ防止部Ｒを設けた事を特徴とする請求項１、請求項２に記載の箱容器。
【発明の詳細な説明】
【技術分野】
【０００１】本発明は、粘着テープで封函された箱容器に、剥がしやすい構造を付与した箱容器に関する。
【背景技術】
【０００２】従来、粘着テープで封函された箱容器を綺麗に早く開口する方法として、カッターで粘着テープをカットしたり、粘着テープに剥離部を形成する等の方法があるが、箱容器を壊すことなく、容器側に粘着テープを剥がす構造を、付与した物がなかった。貼られた粘着テープの端を剥がし持って、粘着テープを中心に向かって、中へ中へとゆっくりと剥がして行くと、比較的良好に剥がせるが、コスト面で問題点がある。
【発明の概要】
【発明が解決しようとする課題】
【０００３】従来、箱容器の粘着テープを剥がして、開口するのに手間がかかるので、カッターで接合部を切って、開口することが多く、かろうじて粘着部の端を剥がしても、箱容器の表紙が共剥がれして、再使用するには不向きでリサイクル業者に出す場合がほとんどである。反面、コスト面や環境への影響のことを考えると、再使用（リユース）できる様、綺麗に早く剥がす事のできる箱容器の開発が急務となっている。
【課題を解決するための手段】
【０００４】そこで、本発明が上記課題を解決するため、第一発明として構成した手段は、箱容器の唯一利用されていなかった継ぎしろの両端部を、剥がし口として上下面の外側フラップの片側に延設させて利用した事です。こうすることで、箱容器の上下面の粘着テープを剥がす事が可能となります。
更に、第二発明として構成した手段は、プルフラップを上下面の双方の外側フラップに延設させることで、上下、左右どちらからでも粘着テープを剥がす事が可能となります。
【発明の効果】
【０００５】請求項１に記載の本発明によれば、捨てられていた継しろ部分の両端部を利用して、剥がし口であるプルフラップを、上下面の外側フラップの片側に設けることにより、無駄なごみをだす事無く粘着テープを容易に剥がすことが出来る。【０００６】請求項２に記載の本発明によれば、継しろの両端部と共に、従来、上下面の内側フラップであった一部を、剥がし口であるプルフラップとして利用し、上下面の双方の外側フラップに一対ずつ延設させることで、上下左右どこからでも開口する事ができる。【０００７】請求項３に記載の本発明によれば、折り畳まれた角筒状の箱容器の８箇所のプルフラップの内四隅の４箇所にミシン目状カットＭを設けることにより、それぞれのプルフラップが矩形の外に突出することが無くなるので、複数枚重ねて結束して積載して、保管、輸送時においても支障をきたさない。【０００８】請求項４に記載の本発明によれば、それぞれのプルフラップに折り目Ｌを入れ、予め曲がり部分Ｃを設ける事で、プルフラップを粘着テープで封函した時に、プルフラップの反発応力が弱まり、粘着テープの自然剥がれが防げると共に、指の引っ掛り部分が出来る為粘着テープを剥がしやすくなる。【０００９】請求項５に記載の本発明によれば、プルフラップと外側フラップの表紙が、共剥がれ防止部Ｒで繋がっているので、従来のように箱容器の表紙（特に段ボールのライナー）の共剥がれが少なく、箱容器の再使用可能となりコストダウンにつながる。【００１０】請求項１から請求項５に共通するのは、箱容器のリサイクルからリユースが可能となり、リユースした分、製造エネルギーの減少となり、地球温暖化防止の為の、ＣＯ２の削減に貢献することになる。
【図面の簡単な説明】
【００１１】
【図１】は、本発明の第一実施形態に係わる箱容器に関して、（Ａ）は、１枚の長方形のシートに溝切り部Ｓと罫線を表わした展開図を示している。（Ｂ）は、（Ａ）の展開図の罫線１Ａ，１Ｃで内側に折り込み、継しろＪＦ〔斜線部〕と（巾狭）側壁ＳＳ２の係合部Ｋを、糊付け後の折り畳んだ角筒状の箱容器を示している。
【００１２】
【図２】は、本発明の第一実施形態に係わる箱容器の底部を、粘着テープで閉口し、上部開口の状態を示している。（Ａ）は、その斜視図である。（Ｂ）は、（Ａ）の上部開口の上部内側フラップＴＦＩ１、ＴＦＩ２を内側に折り込み、次に上部外側フラップＴＦＯ１、ＴＦＯ２を内側に折り込み閉口し、予め折り目Ｌ折り込んで曲がり部分Ｃを設けた（上部）プルフラップＰＦ１を、（巾狭）側壁ＳＳ２に沿って９０°下方に折り曲げ、粘着テープで封函した状態を示す斜視図である。（Ｃ）は、（Ｂ）の円弧部分の拡大図であり、上部外側フラップＴＦＯ１、ＴＦＯ２のダイカット部が接合し、（上部）プルフラップＰＦ１が折り目Ｌで、曲がり部分Ｃを構成しつつ（狭巾）側壁ＳＳ２に沿って９０°下方に折り曲げられ、粘着テープＴでしっかりと強着部ＳＶを構成して、閉口された部分図である。この時、（Ｃ）で示すように、（上部）プルフラップＰＦ１を、粘着テープで完全に蓋わない様にすることがポイントである。
【００１３】
【図３】は、本発明の第２実施形態に係る箱容器に関して、（Ａ）は、一枚の矩形のシートに溝切り部Ｓと、縦、横罫線を入れた展開図を示す。（Ｂ）は、（Ａ）のシートを縦罫線１Ａ、１Ｃで其々内側に折り込み、継しろＪＦ（斜線部）で（狭巾）側壁ＳＳ２の係合部Ｋと、糊付けした折り畳まれた角筒状の箱容器を示す。更に、プルフラップＰＦ３、ＰＦ４、ＰＦ７、ＰＦ８が矩形の外側に突出しない様、ミシン目状カットＭで保持された状態を示す。
【００１４】
【図４】は、本発明の第２実施形態に係る箱容器に関して、（Ａ）は、底部を粘着テープで閉口し、上部開口の状態を示す斜視図である。（Ｂ）は、上部開口の上部内側フラップＴＦＩ１、ＴＦＩ２を、其々内側に折り込み、更に、上部外側フラップＴＦＯ１、ＴＦＯ２を内側に折り込み、その後、予め、折り目Ｌで曲がり部分Ｃを設けた、上部プルフラップＰＦ１、ＰＦ７を狭巾側壁ＳＳ２に沿って９０°下方に折り曲げ、更に、上部プルフラップＰＦ３、ＰＦ５を（狭巾）側壁ＳＳ１に沿って９０°下方に折り曲げ、粘着テープＴで閉口した状態を示す斜視図である。（Ｃ）は、（Ｂ）の円弧部分の拡大図であり、上部外側フラップＴＦＯ１、ＴＦＯ２がダイカット部で接合し、上部プルフラップＰＦ１、ＰＦ７を折り目Ｌで、曲がり部分Ｃを確保しながら、（狭巾）側壁ＳＳ２に沿って９０°下方に折り曲げ、粘着テープＴでしっかりと強着部ＳＶで接着された状態を示す斜視部分図である。
【発明を実施するための形態】
【００１５】以下図面に基づいて本発明の実施形態を詳述する。
【００１６】＜全体的構成＞
［図１］乃至［図２］は、本発明の第１実施形態に係る箱容器に関する図面を示し、［図３］、［図４］は、本発明の第２実施形態に係る箱容器に関する図面を示している。以下図示実施形態は、段ボールシートについて述べるが、材質については、その他のシートであってもよい。
【００１７】［図３］の（Ａ）は、その構造を示す展開図である。一枚の矩形のシートに横方向に、平行に２Ａ、２Ｂの横罫線及び、１Ａ，１Ｂ、１Ｃ、１Ｄ、の縦罫線を設け、縦罫線の上下に溝切り部Ｓを設け、ＰＦ１、ＰＦ２、ＰＦ５、ＰＦ６のプルフラップ部分については、（Ｂ）の状態に、折り込んだ時、矩形の内側に位置して突出することが無いので、完全に鍵状に切り離した溝切り部Ｓを入れる。一方では、溝切り部Ｓを、ＰＦ３、ＰＦ４、ＰＦ７、ＰＦ８については（Ｂ）の状態に折り込んだ時、矩形の四隅に位置するため、外部に突出しない様に溝切り部Ｓの中間部にミシン目状カットＭを設けている。又、プルフラップＰＦ１〜ＰＦ８には、縦方向に折り目Ｌが入れ、内側に曲がる様構成されている。
【００１８】（Ｂ）に図示する様に、縦罫線１Ａ、１Ｃで（巾広）側壁ＷＳ１、（狭巾）側壁ＳＳ２を其々内側に折り込んで、継しろＪＦ（斜線部）と係合部Ｋを糊付けし、折り畳まれた各筒状となる矩形の箱容器が完成する。この四隅はプルフラップがミシン目状カットＭで繋がっているため、突出しないので、複数枚重ねて結束して積層して、保管、輸送時に破損を防止できる。又、ミシン目状カットＭは、箱容器組立時に内側フラップを折り込む時に、容易に分離できる様構成されている。
【００１９】［図４］の（Ａ）に表わした図によると、本発明の第２実施形態に係る各筒状の箱容器の底部を粘着テープで閉口し上部開口の状態を表わした図である。上部内側フラップＴＦＩ１、ＴＦＩ２を折り込み、更に、予め折り目Ｌを曲がり部分Ｃで弓状に曲げた状態の、（上部）プルフラップＰＦ１、ＰＦ３、ＰＦ４、ＰＦ７が上部外側フラップＴＦＯ１、ＴＦＯ２の両端部に延設されている状態を示す。（Ｂ）に表わした図によると、（上部）プルフラップＰＦ１、ＰＦ３を延設している上部外側フラップＴＦＯ１と（上部）プルフラップＰＦ５、ＰＦ７を延設している上部外側フラップＴＦＯ２のダイカット部を接合させて、ＰＦ１、ＰＦ７とＰＦ３、ＰＦ５の其々を一対にして、（狭巾）側壁ＳＳ２、（狭巾）側壁ＳＳ１に沿って９０°下方に折り曲げ、粘着テープで閉口して箱容器（Ｂ）が完成される様、構成されている。この時、粘着テープでプルフラップＰＦ１、ＰＦ７とＰＦ３，ＰＦ５を完全に蓋わない様にして閉口するのがポイントである。
【００２０】［図４］、（Ｂ）の円弧の部分の拡大図（Ｃ）に表したところによると、上部外側フラップＴＦＯ１、ＴＦＯ２のダイカット部を接合させて、上部外側フラップＴＦＯ１に延設させた（上部）プルフラップＰＦ１と、上部外側フラップＴＦＯ２に延設させた（上部）プルフラップＰＦ７を其々、予め折り目Ｌで曲がり部分Ｃを形成せしめて、共剥がれ防止部Ｒで、（狭巾）側壁ＳＳ２に沿って、９０°一対の（上部）プルフラップを下方に折り曲げ、粘着テープで閉口した状態の箱容器の部分図を示す。この第２実施形態に於いては、プルフラップＰＦ１〜ＰＦ８が、上下左右に配置されているので、どこからでも、利き手で容易に、早く開封できる様構成されている。同時に、其々のプルフラップが、上下の外側フラップと、表紙部分で共剥がれ防止部Ｒで、切れ目なく繋がっているので、粘着テープを剥がす時に共剥がれ防止ができるので、複数回リユースできる箱容器を提供することが出来る。
【符号の説明】
【００２１】ＴＦＯ１：上部外側フラップ            Ｒ  ：共剥がれ防止部
ＴＦＯ２：上部外側フラップ
ＴＦＩ１：上部内側フラップ
ＴＦＩ２：上部内側フラップ
ＵＦＯ１：下部外側フラップ
ＵＦＯ２：下部外側フラップ
ＵＦＩ１：下部内側フラップ
ＵＦＩ２：下部内側フラップ
ＷＳ１  ：（広巾）側壁
ＷＳ２  ：（広巾）側壁
ＳＳ１  ：（狭巾）側壁
ＳＳ２  ：（狭巾）側壁
ＰＦ１  ：（上部）プルフラップ
ＰＦ２  ：（下部）プルフラップ
ＰＦ３  ：（上部）プルフラップ
ＰＦ４  ：（下部）プルフラップ
ＰＦ５  ：（上部）プルフラップ
ＰＦ６  ：（下部）プルフラップ
ＰＦ７  ：（上部）プルフラップ
ＰＦ８  ：（下部）プルフラップ
ＪＦ    ：継しろ
１Ａ    ：縦罫線
１Ｂ    ：縦罫線
１Ｃ    ：縦罫線
１Ｄ    ：縦罫線
２Ａ    ：横罫線
２Ｂ    ：横罫線
Ｋ      ：係合部
Ｓ      ：溝切り部
Ｍ      ：ミシン目状カット
Ｌ      ：折り目
Ｃ      ：曲がり部分
Ｔ      ：粘着テープ
ＳＶ    ：強着部
【図１】
2019182541.tif 000003
【図２】
2019182541.tif 000004
【図３】
2019182541.tif 000005
【図４】
2019182541.tif 000006